(57)【要約】【課題】外部装置の動作を動的に制御することができるマルチメディアデータ再生システム及びマルチメディアデータ再生装置を提供する。【解決手段】外部装置を識別する外部装置識別子に対応付けて外部装置の動作を制御する装置制御情報を表示用データ領域中に予め含むマルチメディアデータを取得するマルチメディアデータ取得部１００と、装置制御情報の出力の可否を示す出力可否情報を、マルチメディアデータの表示用データ領域に動的に挿入する出力可否情報挿入部１５０と、同期信号を検出する同期信号検出部２１０と、同期信号検出部２１０が検出した同期信号に基づいて、マルチメディアデータから装置制御情報を抽出する制御情報抽出処理部２２０と、抽出された装置制御情報に応じて動作する外部装置とを備える。【選択図】図１
2009159442.tif 000002
【特許請求の範囲】
【請求項１】
外部装置を識別する外部装置識別子に対応付けて前記外部装置の動作を制御する装置制御情報を表示用データ領域中に予め含むマルチメディアデータを取得するマルチメディアデータ取得部と、
前記装置制御情報の出力の可否を示す出力可否情報を、前記マルチメディアデータの前記表示用データ領域に動的に挿入する出力可否情報挿入部と、
前記マルチメディアデータから前記出力可否情報を抽出して前記外部装置に供給することにより前記外部装置の動作を制御するコンバーターに、挿入された前記出力可否情報を含む前記マルチメディアデータを出力するマルチメディアデータ出力部と
を備えるマルチメディアデータ再生装置。
【請求項２】
前記装置制御情報の出力の可否を決定する出力可否決定部
を更に備え、
前記出力可否情報挿入部は、前記出力可否決定部の決定に応じて決まる前記出力可否情報を前記マルチメディアデータの前記表示用データ領域に挿入する
請求項１に記載のマルチメディアデータ再生装置。
【請求項３】
前記出力可否情報挿入部は、前記表示用データ領域の上端、下端、右端、および／又は左端からなる端辺部分に前記出力可否情報を挿入し、
前記コンバーターは、前記端辺部分に表示される同期信号に基づいて、前記装置制御情報を抽出する
請求項１に記載のマルチメディアデータ再生装置。
【請求項４】
前記出力可否情報挿入部は、前記出力可否情報を、ユーザの入力結果に応じて動的に生成して挿入する
請求項１に記載のマルチメディアデータ再生装置。
【請求項５】
前記出力可否情報挿入部は、前記装置制御情報を、タイトルタイムラインに同期して動的に生成して挿入する
請求項１に記載のマルチメディアデータ再生装置。
【請求項６】
前記マルチメディアデータ出力部は、前記マルチメディアデータをコンポーネント映像信号又はＨＤＭＩの映像信号で出力する
請求項１に記載のマルチメディアデータ再生装置。
【請求項７】
前記マルチメディアデータ出力部は、前記マルチメディアデータの出力解像度がＳＤ解像度である場合、前記マルチメディアデータをコンポジット映像信号で出力する
請求項１に記載のマルチメディアデータ再生装置。
【請求項８】
前記出力可否情報挿入部が、チェックサムを更に挿入し、
前記コンバーターに、前記マルチメディアデータに挿入された前記出力可否情報と前記チェックサムとの照合結果に応じて、前記装置制御情報を抽出させる
請求項１に記載のマルチメディアデータ再生装置。
【請求項９】
前記マルチメディアデータが、ＨＤ  ＤＶＤ規格に準拠するマルチメディアデータであって、前記装置制御情報をアドバンスドコンテンツとしての表示用データ領域中に予め含む
請求項１に記載のマルチメディアデータ再生装置。
【請求項１０】
前記マルチメディアデータが、ＤＶＤ規格に準拠するマルチメディアデータであって、前記装置制御情報をスタンダードコンテンツとしての表示用データ領域中に予め含む
請求項１に記載のマルチメディアデータ再生装置。
【請求項１１】
前記マルチメディアデータが、前記装置制御情報を、音声信号として有する
請求項１に記載のマルチメディアデータ再生装置。
【請求項１２】
外部装置を識別する外部装置識別子に対応付けて前記外部装置の動作を制御する装置制御情報を表示用データ領域中に予め含むマルチメディアデータを取得するマルチメディアデータ取得部と、
前記装置制御情報の出力の可否を示す出力可否情報を、前記マルチメディアデータの前記表示用データ領域に動的に挿入する出力可否情報挿入部と、
同期信号を検出する同期信号検出部と、
前記同期信号検出部が検出した前記同期信号に基づいて、前記マルチメディアデータから前記装置制御情報を抽出する制御情報抽出処理部と、
抽出された前記装置制御情報に応じて動作する外部装置と
を備えるマルチメディアデータ再生システム。
【請求項１３】
前記出力可否情報挿入部は、前記表示用データ領域の上端、下端、右端、および／又は左端からなる端辺部分に前記出力可否情報を挿入し、
前記同期信号検出部は、前記端辺部分を表示する同期信号を検出し、
前記制御情報抽出処理部は、前記端辺部分に表示される同期信号に基づいて、前記装置制御情報を抽出する
請求項１２に記載のマルチメディアデータ再生システム。
【請求項１４】
前記制御情報抽出処理部は、前記出力可否情報が挿入された前記マルチメディアデータから、前記装置制御情報を抽出した後、前記装置制御情報が含まれている前記表示用データの領域を、単色データに置き換える
請求項１２に記載のマルチメディアデータ再生システム。
【請求項１５】
前記同期信号検出部が、コンポーネント映像信号又はＨＤＭＩの映像信号に基づいて、前記同期信号を検出する
請求項１２に記載のマルチメディアデータ再生システム。
【請求項１６】
前記同期信号検出部が、出力解像度がＳＤ解像度である場合、コンポジット映像信号に基づいて、前記同期信号を検出する
請求項１２に記載のマルチメディアデータ再生システム。
【請求項１７】
前記出力可否情報挿入部が、チェックサムを更に挿入し、
前記制御情報抽出処理部が、前記マルチメディアデータに挿入された前記出力可否情報と前記チェックサムとの照合結果に応じて、前記装置制御情報を抽出する
請求項１２に記載のマルチメディアデータ再生システム。
【発明の詳細な説明】
【技術分野】
【０００１】
本発明は、マルチメディアデータ再生システム及びマルチメディアデータ再生装置に関する。
【背景技術】
【０００２】
従来の映像を再生して外部装置を動作させる装置として、制御信号内挿入部を有する受信側装置と、信号分解部と映像出力部とビデオオブジェクト部とを有する送信側装置とを備えるインタラクティブビデオデマンド装置が提案されている（例えば、特許文献１参照）。
【０００３】
特許文献１に記載のインタラクティブビデオデマンド装置は、制御信号内挿入部において映像信号に連動した制御信号が内挿されたビデオコマンド信号を、送信側装置から受信側装置へ伝送し、受信側装置の信号分解部が、ビデオコマンド信号を映像信号と制御信号とに分解し、映像信号が映像出力部において表示されると共に、制御信号がビデオオブジェクト部を介して外部装置に供給されて、外部装置を動作させることができる。
【特許文献１】特開平０８−５６３５１号公報
【発明の開示】
【発明が解決しようとする課題】
【０００４】
しかし、特許文献１に記載のインタラクティブビデオデマンド装置では、画像データに予め埋め込まれた制御信号に応じて外部装置が動作しており、外部装置の動作の変更を動的にすることができなかった。
【０００５】
したがって、本発明の目的は、外部装置の動作を動的に制御することができるマルチメディアデータ再生システム及びマルチメディアデータ再生装置を提供することにある。
【課題を解決するための手段】
【０００６】
本発明の一態様は、外部装置を識別する外部装置識別子に対応付けて外部装置の動作を制御する装置制御情報を表示用データ領域中に予め含むマルチメディアデータを取得するマルチメディアデータ取得部と、装置制御情報の出力の可否を示す出力可否情報を、マルチメディアデータの表示用データ領域に動的に挿入する出力可否情報挿入部と、マルチメディアデータから出力可否情報を抽出して外部装置に供給することにより外部装置の動作を制御するコンバーターに、挿入された出力可否情報を含むマルチメディアデータを出力するマルチメディアデータ出力部とを備えるマルチメディアデータ再生装置を提供する。
【０００７】
また、本発明の他の態様は、外部装置を識別する外部装置識別子に対応付けて外部装置の動作を制御する装置制御情報を表示用データ領域中に予め含むマルチメディアデータを取得するマルチメディアデータ取得部と、装置制御情報の出力の可否を示す出力可否情報を、マルチメディアデータの表示用データ領域に動的に挿入する出力可否情報挿入部と、同期信号を検出する同期信号検出部と、同期信号検出部が検出した同期信号に基づいて、マルチメディアデータから装置制御情報を抽出する制御情報抽出処理部と、抽出された装置制御情報に応じて動作する外部装置とを備えるマルチメディアデータ再生システムを提供する。
【発明の効果】
【０００８】
本発明に係るマルチメディアデータ再生システム及びマルチメディアデータ再生装置によれば、マルチメディアデータに予め含まれる外部装置の動作を制御する装置制御情報の使用の有無を動的に選択できるので、外部装置の動作を動的に制御することができる。
【発明を実施するための最良の形態】
【０００９】
［第１の実施の形態］
図１は、本発明の第１の実施の形態に係るマルチメディアデータ再生システムの概要を示す。図１において、Ｓ１〜Ｓ１７ｂは機器間を伝送されるデータを示している。
【００１０】
（マルチメディア再生システム１の概要）
第１の実施の形態に係るマルチメディアデータ再生システム１は、ロボット、スピーカー、及び香り供給装置等のアミューズメント機器５２、並びに照明装置としての照明５４、空調装置等の外部装置の動作を制御する装置制御情報を所定の領域に予め含むマルチメディアデータを取得する再生装置１０と、再生装置１０が取得したマルチメディアデータから装置制御情報を動的に抽出して所定の外部装置に供給するコンバーター２０と、再生装置１０が取得したマルチメディアデータ中の音データを音声再生装置及び／又は音声再生装置を有する表示装置４０に供給するアンプ３０と、コンバーター２０から受け取った装置制御情報に応じて所定の動作を実行するアミューズメント機器５２又は照明５４等の複数の外部装置とを備える。
【００１１】
第１の実施の形態に係るマルチメディアデータは、グラフィックデータ、画像データ（動画データ及び／又は静止画データ）、音データ（例えば、ドルビーデジタル又はＳＰＤＩＦ）、テキストデータ、及びその他所定の制御情報（一例として、ＨＤ  ＤＶＤ規格に準拠した制御情報）を含む。また、マルチメディアデータは、複数の表示プレーンにより構成することができる。一例として、マルチメディアデータは、ビデオ画像（動画データ及び音データを含む）用の表示プレーンと、ピクチャーインピクチャー用のコメンタリ表示プレーンと、テキストデータ用の字幕表示プレーンと、装置制御情報を含むことができるグラフィックス表示プレーンと、カーソル表示用の表示プレーンとを有する。
【００１２】
そして、マルチメディアデータは、ＣＤ−ＲＯＭ、ＤＶＤ−ＲＯＭ、ＨＤ  ＤＶＤ等の光ディスク等の蓄積メディアとしての記録媒体６０、リムーバブルハードディスク等の磁気記録媒体又は半導体記録媒体等の記録媒体６２、及び／又はインターネット、ＬＡＮ、ＷＡＮ、デジタル放送網等のネットワーク７０を介して再生装置１０と通信可能に接続するサーバー６４に格納される。
【００１３】
再生装置１０は、記録媒体６０、記録媒体６２、又はサーバー６４からマルチメディアデータを受け取る（Ｓ１、Ｓ３、Ｓ５）。再生装置１０は、受け取ったマルチメディアデータから外部装置の動作を制御する装置制御情報をコンバーター２０が受け取り可能に供給するか否かを動的に決定すると共に、決定結果を動的にマルチメディアデータに挿入する。そして、再生装置１０は、決定結果を挿入したマルチメディアデータをコンバーター２０に供給する（Ｓ７）。なお、再生装置１０は、マルチメディアデータに含まれている音データをアンプ３０に供給することもできる（Ｓ１５）。
【００１４】
一例として、再生装置１０は、ユーザ等の指示を含む再生装置１０の外部から再生装置１０に供給される指示に応じて、装置制御情報をコンバーター２０に読み取り可能に供給するか否かを決定する。そして、装置制御情報をコンバーター２０に読み取り可能に供給するか否かの決定結果を、コンバーター２０に供給するマルチメディアデータの所定の領域に動的に挿入する。ここで、「動的」とは、一例として、再生装置１０が所定のマルチメディアデータを再生（又は放映）中に、当該マルチメディアの再生（又は放映）の途中において当該マルチメディアデータの再生（又は放映）の進行を妨げないことを指す。
【００１５】
例えば、再生装置１０がマルチメディアデータを再生中において、装置制御情報をコンバーター２０に読み取り可能に供給する旨の決定結果をマルチメディアデータに挿入する場合、又は装置制御情報をコンバーター２０に読み取り可能に供給しない旨の決定結果をマルチメディアデータに挿入する場合、再生装置１０は、再生中のマルチメディアデータを停止及び／又は巻き戻し等を実施せずに、決定結果をマルチメディアデータに挿入する。
【００１６】
コンバーター２０は、再生装置１０から受け取ったマルチメディアデータに含まれる決定結果が装置制御情報を読み取り可能に供給する旨を示す場合、マルチメディアデータから装置制御情報を抽出する。一方、コンバーター２０は、決定結果が装置制御情報を読み取り可能に供給しない旨を示す場合、装置制御情報を抽出しない。コンバーター２０は、装置制御情報を抽出した場合、抽出した装置制御情報を所定の外部装置に供給する（Ｓ１１、Ｓ１３）。外部装置（例えば、人形、アクチュエータを含むロボット等のアミューズメント機器５２、照明５４等）は、受け取った装置制御情報に基づいて、所定の動作を実行する。
【００１７】
なお、コンバーター２０は、装置制御情報を抽出しない場合であっても、マルチメディアデータをＨＤＴＶ等の表示装置４０に供給する（Ｓ９）。また、アンプ３０は、音データを表示装置４０に供給して音データを表示装置４０から出力させる（Ｓ１７ａ）。アンプ３０は、音データをコンバーター２０に供給して（Ｓ１７ｂ）、コンバーター２０が音データを表示装置４０に供給してもよい。
【００１８】
（再生装置１０の構成）
図２は、本発明の第１の実施の形態に係る再生装置の機能構成の一例を示す。
【００１９】
第１の実施の形態に係る再生装置１０は、マルチメディアデータを取得するマルチメディアデータ取得部１００と、ユーザ等の指示又は外部からの指示を入力する指示入力部１３０と、指示入力部１３０が入力した指示に応じて装置制御情報をコンバーター２０に読み取り可能に供給するか否かを決定する出力可否決定部１４０と、出力可否決定部１４０の決定に応じてマルチメディアデータに決定結果を挿入する出力可否情報挿入部１５０と、マルチメディアデータ取得部１００が取得したマルチメディアデータに対して所定のデータ処理を施すデータ処理部１１０と、決定結果が挿入されたマルチメディアデータをコンバーター２０に供給するマルチメディアデータ出力部１２０とを有する。
【００２０】
マルチメディアデータ取得部１００は、記録媒体６０、記録媒体６２、又はサーバー６４からマルチメディアデータを取得する。ここで、記録媒体６０は、一例として、ＨＤ  ＤＶＤ規格に準拠した光ディスク記録媒体を用いることができる。この場合、マルチメディアデータもＨＤ  ＤＶＤ規格に準拠したデータ構成を有する。マルチメディアデータ取得部１００は、取得したマルチメディアデータをデータ処理部１１０に供給する。
【００２１】
なお、本実施の形態に係るマルチメディアデータは、外部装置を一意に識別する外部装置識別子としての外部装置ＩＤに対応付けて、当該外部装置ＩＤで識別される外部装置の動作を制御する装置制御情報を表示用データ領域中に予め含む。そして、装置制御情報は、例えば、ロボット等のアミューズメント機器５２に所定のタイミングにおいて所定の動作を実行させる情報、照明５４に点滅等の所定の動作を実行させる情報、香り供給装置に所定のタイミングにおいて所定の種類の香りを放出させる動作を実行させる情報等を示す。
【００２２】
装置制御情報は、例えば、映像信号としてマルチメディアデータに記録することができる。また、装置制御情報は、音声信号（例えば、ドルビーデジタル又はＳＰＤＩＦ）としてマルチメディアデータに記録することもできる。
【００２３】
指示入力部１３０は、装置制御情報を、コンバーター２０に読み取り可能に供給するか否かを示す指示を入力する。指示入力部１３０は、一例として、赤外線通信により動作するリモートコントローラー等の外部の入力指示装置（図示しない）から送信されるユーザにより入力された指示を受信する。入力指示装置に入力される指示は、外部装置を動作させるか否かを示す情報であり、例えば、外部装置の動作を実行させる情報、又は外部装置の動作を停止させる情報を示す決定結果である。指示入力部１３０は、入力された指示としての決定結果を出力可否決定部に供給する。なお、入力指示装置は、携帯電話等の携帯情報端末を用いることもできる。
【００２４】
出力可否決定部１４０は、決定結果を解析して、装置制御情報をコンバーター２０に読み取り可能に出力するか否かを決定する。一例として、出力可否決定部１４０は、ユーザが指示入力部１３０を介して入力した指示（指示データ）が、外部装置の動作を実行させる旨を示す場合、装置制御情報をコンバーター２０に読み取り可能に出力する旨を決定する。一方、出力可否決定部１４０は、ユーザが入力した指示が、外部装置の動作を停止させる旨を示す場合、装置制御情報をコンバーター２０に読み取り可能に出力しない旨を決定する。そして、出力可否決定部１４０は、装置制御情報の出力の可否を示す出力可否情報を出力可否情報挿入部１５０に供給する。
【００２５】
出力可否情報挿入部１５０は、出力可否決定部１４０から受け取った出力可否情報を、マルチメディアデータの表示用データ領域（一例として、マルチメディアデータが映像データの場合、可視領域）に動的に挿入する。具体的に、出力可否情報挿入部１５０は、データ処理部１１０に出力可否情報を供給して、データ処理部１１０を制御して、マルチメディアデータの所定の領域に出力可否情報を挿入させる。より具体的に、出力可否情報挿入部１５０は、出力可否決定部１４０の決定に応じて決まる出力可否情報を、マルチメディアデータの表示用データ領域に挿入する。
【００２６】
一例として、出力可否情報挿入部１５０は、マルチメディアデータの表示用データ領域の下端、又は左端に出力可否情報を挿入する。更に、出力可否情報挿入部１５０は、出力可否情報を、ユーザの入力結果に応じて動的に生成して表示用データ領域に挿入することもできる。また、出力可否情報挿入部１５０は、装置制御情報を、タイトルタイムラインに同期して動的に生成して、表示用データ領域に挿入することもできる。
【００２７】
具体的に、マルチメディアデータは、複数のコンテンツデータ（例えば、音楽データ、映像データ、字幕データ等）を含んで構成される。タイトルタイムラインは、各コンテンツデータが、当該コンテンツデータを含むマルチメディアデータの再生開始からの時間（例えば、１／６０秒毎）で規定される時間単位である。タイトルタイムラインは、例えば、装置内の基準タイマーの時間を利用して決定される。なお、タイマーは、マルチメディアデータの巻き戻し、早送り、及び／又はスキップ等の操作に応じて、再びマルチメディアデータの再生が開始するときに、所定の時間にセットされる。
【００２８】
本実施の形態において、マルチメディアデータは複数のタイトルタイムを含み、これら複数のタイトルタイム毎に、所定の装置制御情報が対応付けられている。ここで、再生装置１０は、マルチメディアデータを識別するマルチメディアデータ識別子に対応付けて、このマルチメディアデータに含まれる複数のタイトルタイム毎に所定の装置制御情報を対応付けて格納するタイトルタイム格納部を更に有することができる。
【００２９】
具体的に、タイトルタイム格納部は、マルチメディアデータ識別子に対応付けて、このマルチメディアデータ識別子で識別されるマルチメディアデータの複数のタイトルタイムを格納する。更に、タイトルタイム格納部は、複数のタイトルタイムのそれぞれに対応付けて、所定の装置制御情報を格納する。そして、出力可否情報挿入部１５０は、マルチメディアデータの再生に伴い、このマルチメディアデータのマルチメディアデータ識別子に対応付けられているタイトルタイムを、タイトルタイム格納部から取得する。続いて、出力可否情報挿入部１５０は、取得したタイトルタイムに対応付けてタイトルタイム格納部が格納している装置制御情報を抽出すると共に、取得したタイトルタイムに同期するタイミングで、装置制御情報をマルチメディアデータに動的に挿入することができる。
【００３０】
なお、タイトルタイム格納部がマルチメディアデータ識別子に対応付けて格納している複数のタイトルタイム及び複数の装置制御情報は、例えば、マルチメディアデータ取得部１００が外部（記録媒体６０、記録媒体６２、又はサーバー６４）からマルチメディアデータ識別子及びタイトルタイムに対応付けて取得した装置制御情報により更新することができる。
【００３１】
データ処理部１１０は、マルチメディアデータ取得部１００から受け取ったマルチメディアデータにデコード処理等を施す。そして、データ処理部１１０は、複数の表示プレーンを重畳すると共に、出力可否情報挿入部１５０の制御に応じて、表示用データ領域に出力可否情報を動的に挿入する。データ処理部１１０は、出力可否情報を含むマルチメディアデータをマルチメディアデータ出力部１２０に供給する。マルチメディアデータ出力部１２０は、出力可否情報を含むマルチメディアデータをコンバーター２０及び／又はアンプ３０に供給する。
【００３２】
なお、本実施の形態に係る再生装置１０は、一例として、ＨＤ  ＤＶＤ規格に準拠したＨＤ  ＤＶＤプレーヤーである。また、再生装置１０は、ＨＤ  ＤＶＤプレーヤーだけではなく、ＣＤ−ＲＯＭ再生装置、ＤＶＤ−ＲＯＭ再生装置、デジタルビデオプレーヤー等の記録媒体再生装置、又は、家庭用ゲーム機、携帯電話端末若しくはＰｅｒｓｏｎａｌ  Ｄｉｇｉｔａｌ  Ａｓｓｉｓｔａｎｃｅ（ＰＤＡ）等の携帯情報端末により構成することもできる。
【００３３】
（コンバーター２０の構成）
図３は、本発明の第１の実施の形態に係るコンバーターの機能構成の一例を示す。
【００３４】
第１の実施の形態に係るコンバーター２０は、出力可否情報を含むマルチメディアデータを取得するデータ取得部２００と、同期信号を検出する同期信号検出部２１０と、同期信号に基づいてマルチメディアデータから装置制御情報を抽出する制御情報抽出処理部２２０と、制御情報抽出処理部２２０が抽出した装置制御情報を格納する制御情報格納部２３０と、制御情報格納部２３０が格納している装置制御情報を解析する制御情報解析部２４０と、制御情報解析部２４０の解析結果に応じて、装置制御情報の外部装置識別子に対応する外部装置に装置制御情報を出力する装置制御情報出力部２５０と、マルチメディアデータを表示装置４０及び／又はアミューズメント機器５２に出力するデータ出力部２６０とを有する。
【００３５】
データ取得部２００は、再生装置１０のマルチメディアデータ出力部１２０が出力した出力可否情報を含むマルチメディアデータを取得する。そして、データ取得部２００は、取得したマルチメディアデータを、制御情報抽出処理部２２０に供給する。
【００３６】
同期信号検出部２１０は、コンポーネント入力端子（図示しない）からの同期信号の有無を検出する。同期信号検出部２１０は、一例として、マルチメディアデータの下端を表示する水平同期信号を検出する。また、同期信号検出部２１０は、コンポーネント映像信号の輝度成分又はＨＤＭＩの映像信号に基づいて同期信号を検出することもできる。更に、同期信号検出部２１０は、出力解像度がＳＤ解像度である場合、コンポジット映像信号に基づいて同期信号を検出することもできる。同期信号検出部２１０は、検出した同期信号を制御情報抽出処理部２２０に供給する。
【００３７】
制御情報抽出処理部２２０は、装置制御情報をコンバーター２０に読み取り可能に出力する旨を示す出力可否情報を受け取った場合、同期信号検出部２１０から受け取った同期信号に基づいて、マルチメディアデータの所定の領域に含まれている装置制御情報を抽出する。一例として、制御情報抽出処理部２２０は、水平同期信号に応じて、装置制御情報を抽出する。また、制御情報抽出処理部２２０は、出力可否情報が挿入されたマルチメディアデータから装置制御情報を抽出した後、装置制御情報が含まれている表示用データの領域を単色データ（例えば、白色又は黒色、若しくは最大の輝度成分又は最小の輝度成分）に置き換えることもできる。これにより、マルチメディアデータがアンダースキャンされた場合において、表示装置４０等に表示されるマルチメディアデータのちらつき等を抑制できる。なお、制御情報抽出処理部２２０は、マルチメディアデータをアンダースキャンしない場合には、表示用データの領域を単色データ等に置き換えずにマルチメディアデータをデータ出力部２６０に供給することもできる。
【００３８】
なお、制御情報抽出処理部２２０は、表示用データ領域の装置制御情報が含まれている領域、又は当該領域から所定の範囲内の走査線上の輝度又は色を抽出して、抽出した輝度又は色を用いて装置制御情報が含まれている表示用データの領域を単色データ又は抽出した色に置き換えることもできる。制御情報抽出処理部２２０は、所定の処理を施したマルチメディアデータ又は所定の処理を施していないマルチメディアデータをデータ出力部２６０に供給する。また、制御情報抽出処理部２２０は、抽出した装置制御情報が制御対象としている外部装置の外部装置ＩＤに対応付けて、当該装置制御情報を制御情報格納部２３０に格納する。
【００３９】
制御情報格納部２３０は、装置制御情報を外部装置ＩＤに対応付けて格納する。制御情報解析部２４０は、制御情報格納部２３０が格納している装置制御情報を解析して、装置制御情報出力部２５０に供給する。具体的に、制御情報解析部２４０は、制御情報を解析して、当該装置制御情報に対応する外部装置ＩＤで識別される外部装置（例えば、表示装置４０、アミューズメント機器５２、照明５４等）を識別すると共に、この外部装置ＩＤに対応付けて制御情報格納部２３０が格納している装置制御情報を取得する。そして、制御情報解析部２４０は、取得した装置制御情報を装置制御情報出力部２５０から外部装置ＩＤで識別した外部装置に出力させる。装置制御情報出力部２５０は、複数の外部装置のそれぞれに装置制御情報を出力する。
【００４０】
なお、装置制御情報出力部２５０は、照明制御用信号を出力するＤＭＸ信号出力部としての機能を有する。すなわち、マルチメディアデータには、照明５４の動作を制御する装置制御情報として、ＤＭＸ信号が含まれる。ＤＭＸ信号は、例えば、照明５４の調光出力信号を含む。係る場合において、装置制御情報出力部２５０は、複数の外部装置ＩＤのそれぞれに対応する複数の外部装置のそれぞれに、複数の外部装置のそれぞれ用の装置制御情報を出力する。例えば、装置制御情報出力部２５０は、ロボット等のアミューズメント機器５２にはアミューズメント機器用の装置制御情報を出力すると同時に、照明５４にはＤＭＸ信号を出力する。
【００４１】
また、マルチメディア再生システム１は、外部装置として、ＭＩＤＩ規格に準拠する電子楽器を含む。係る場合において、マルチメディアデータには、電子楽器の動作を制御する装置制御情報が含まれる。そして、係る場合、装置制御情報出力部２５０は、ＭＩＤＩ信号出力部としての機能を有する。
【００４２】
データ出力部２６０は、表示装置４０及び／又はアミューズメント機器５２にマルチメディアデータを出力する。そして、表示装置４０はマルチメディアデータをユーザに視覚及び／又は視聴可能に出力する。また、アミューズメント機器５２は、音声再生部（例えば、スピーカー）を有する場合、受け取ったマルチメディアデータに含まれる音データをユーザに視聴可能に出力する。
【００４３】
（マルチメディアデータの一例）
図４は、本発明の第１の実施の形態に係るマルチメディアデータの構成の一例を示す。
【００４４】
第１の実施の形態に係るマルチメディアデータは、一例としてＨＤ  ＤＶＤ規格に対応する映像データである。そして、映像データとしてのマルチメディアデータは、一例として、ビデオ画像（動画データ及び音データを含む）用の表示プレーン６１０と、ピクチャーインピクチャー用のコメンタリ表示プレーン６１２と、テキストデータ用の字幕用の表示プレーン６１４と、装置制御情報（例えば、装置制御情報８００）を含むことができるグラフィックス表示プレーン６１６と、カーソル表示用の表示プレーン（図示しない）とを有する。すなわち、本実施の形態に係る画像６００は、アドバンスドコンテンツに対応する映像データである。
【００４５】
そして、再生装置１０のデータ処理部１１０は、表示プレーン６１０と表示プレーン６１２と表示プレーン６１４とメタデータとしての表示プレーン６１６とをそれぞれ重畳して画像６００を生成する。そして、出力可否情報挿入部１５０は、画像６００に対して出力可否情報を動的に挿入する。出力可否情報挿入部１５０は、一例として、所定のプログラム処理により表示プレーン６１６に出力可否情報を描画することにより、出力可否情報をフレーム単位で挿入することができる。
【００４６】
したがって、本実施の形態においては、出力可否情報挿入部１５０が、メタデータを利用して装置制御情報の出力可否情報を動的にマルチメディアデータに挿入できるので、マルチメディアデータを転送するインターフェースがＨＤ  ＤＶＤ規格によらないコンバーター２０であっても、マルチメディアデータのデータ転送を定義できる。また、出力可否情報挿入部１５０は、メタデータを利用して出力可否情報を動的にマルチメディアデータに挿入するので、コンバーター２０が複数の外部装置を連動して制御する場合でもＭＩＤＩケーブルのように最大チャネル数を考慮することを要せず、同時制御を容易に実現できる。
【００４７】
（マルチメディアデータの他の例）
図５（ａ）は、本発明の第１の実施の形態の変形例に係るマルチメディアデータの構成の一例を示し、（ｂ）は、第１の実施の形態の変形例に係るストリームの構成を示す。
【００４８】
図５（ａ）を参照すると、第１の実施の形態の変形例に係るマルチメディアデータの構成は、一例として、ＤＶＤ規格に対応する映像データであって、いわゆるスタンダードコンテンツに対応する映像データである。すなわち、図５を参照すると、映像データとしてのマルチメディアデータは、ビデオ画像（動画データ及び音データを含む）用の表示プレーン６１０と、テキストデータ用の字幕用の表示プレーン６１４とを有する。第１の実施の形態の変形例においては、出力可否情報挿入部１５０は、表示プレーン６１４に対して出力可否情報を動的に挿入する。
【００４９】
なお、図５（ｂ）を参照すると、変形例に係るストリーム７００は、例えば、ビデオデータ７０２及びオーディオデータ７０４の他に、第１の字幕データ７０６、第２の字幕データ７０８等の字幕データを８つ含むことができる。第１の実施の形態の変形例において、表示プレーン６１４は、第１の言語から第８の言語までの字幕データを含む領域に、字幕データの代わりに、装置制御情報を記録することができる。したがって、１つの表示プレーン６１４に、８つのパターンの装置制御情報（例えば、全てを出力する旨を示す情報、ビデオデータ７０２を出力し、オーディオデータ７０４を出力しない旨を示す情報（カラオケモード）等）を記録できる。
【００５０】
（装置制御情報の挿入の詳細）
図６Ａ（ａ）は、本発明の第１の実施の形態に係る装置制御情報のマルチメディアデータへの挿入方法の一例を示し、図６Ａ（ｂ）は、装置制御情報のマルチメディアデータへの挿入方法の他の例を示す。
【００５１】
まず、図６Ａ（ａ）を参照する。まず、マルチメディアデータとしての画像６００は、例えば、実際に画像が表示される領域６００ｂと、アンダースキャンされた場合に表示される領域である領域６００ｃと、ＨＤ  ＤＶＤの規格により情報を書き込むことが制限されている領域である領域６００ｄとを含む。領域６００ｂ及び領域６００ｃが、一例として、表示用データ領域として定義される。そして、領域６００ｄの下端６００ａには装置制御情報が予め記録されており、出力可否情報挿入部１５０は、下端６００ａの所定の領域に出力可否情報を動的に挿入する。
【００５２】
例えば、出力可否情報挿入部１５０は、画像６００の下端６００ａとしての最下部のライン（一例として、上端から１０８０番目のライン）に、出力可否情報を示す一定長の線分（例えば、線分８００、８０２、８０４、８０６）を描画することにより、画像６００に出力可否情報を動的に挿入する。
【００５３】
また、図６Ａ（ｂ）を参照すると、本実施の形態の他の例においては、出力可否情報挿入部１５０は、画像６０２の左端６０２ａに１ピクセル分の長さを有する線分８０８、線分８１０を描画することにより、画像６００に出力可否情報を動的に挿入することもできる。
【００５４】
本実施の形態において、出力可否情報挿入部１５０は、一例として、ＨＤ  ＤＶＤ規格におけるグラフィックス描画機能、及びＤｒａｗｉｎｇ  ＡＰＩ又はマークアップ言語を用いて外部装置の動作の実行の決定ができるので、ＨＤ  ＤＶＤ用のマルチメディアデータとしてのコンテンツと、外部装置との間の同期を容易にとることができる。
【００５５】
また、外部装置が照明５４である場合、照明５４の動作を制御する装置制御情報は、一例として、以下の構成を有する。まず、マルチメディアデータ再生システム１は、外部装置としての照明５４を、１つだけではなく、複数個備えることができる。そして、複数の照明５４はそれぞれ、直列に連結することができる。すなわち、複数の照明５４は、デイジーチェーン方式で連結され、例えば、コンバーター２０に第１の照明５４を接続し、第２の照明５４を第１の照明５４に接続し、更に、第３の照明５４を第２の照明５４に接続するように構成される。
【００５６】
コンバーター２０は、マルチメディアデータが映像データの場合、一例として、複数の照明５４の動作を制御する装置制御情報を含むフレーム画像を１／６０秒毎（又は、１／３０秒毎）に取得する。そして、コンバーター２０は、一定周期にて（例えば、１周期を１０ｍｓとして）、１周期毎に第１の照明５４に装置制御情報を出力する。係る場合において、コンバーター２０が映像データを取得するタイミングと、コンバーター２０から第１の照明５４に装置制御情報を出力するタイミングが異なるので、このタイミングのズレを吸収することを目的として、コンバーター２０は、キャッシュを更に有することができる。
【００５７】
そして、コンバーター２０は、キャッシュに格納した装置制御情報を周期毎に第１の照明５４に出力する。複数の照明５４の動作を制御する装置制御情報は、例えば、１つのフレーム画像の中に、複数の照明５４のそれぞれ毎に含まれる。すなわち、複数の照明５４のそれぞれに対応する装置制御情報としての複数のビットをフレーム画像は有しており、コンバーター２０は、複数の照明５４のそれぞれに対応付けて、複数のビットを装置制御情報として第１の照明５４に出力する。第１の照明５４は、第１の照明５４に対応付けられている装置制御情報に応じて動作すると共に、第１の照明５４に装置制御情報を転送する。これにより、第２の照明５４は第１の照明５４と同様に動作すると共に、第３の照明５４も第２の照明５４と同様に動作する。
【００５８】
図６Ｂは、本発明の第１の実施の形態に係る装置制御情報のマルチメディアデータに含まれる装置制御情報の概要を示す。
【００５９】
マルチメディアデータとしての画像６００は、図６Ａ（ａ）における上記説明と同様に、領域６００ｂと領域６００ｃとを含む。なお、図６Ｂにおいては、領域６００ｄの記載は省略する。装置制御情報は、例えば、画像６００の下端に記録される（例えば、装置制御情報Ｄ１、Ｄ２、及びＤ３）。具体的に、装置制御情報Ｄ１は、その先頭にチェックデジットを含み、ロボット等の駆動機構を有する外部装置を制御する情報が記録される。また、装置制御情報Ｄ２は、例えば、ＤＭＸ信号として記録することができ、装置制御情報Ｄ３は、例えば、ＭＩＤＩ信号として記録することができる。
【００６０】
なお、装置制御情報は、画像６００の下端だけでなく、上端、下端、左端、又は右端のいずれか１つの端を含む領域に記録することができる。また、装置制御情報は、上端、下端、左端、右端を除く領域の少なくとも一部に記録することもできる。更に、装置制御情報は、上端、下端、左端、又は右端のいずれか１つの端を含む領域と、上端、下端、左端、右端を除く領域の少なくとも一部の領域とに記録することもできる。また、装置制御情報は、所定の端に沿って、複数行にわたって記録することもできる。この場合に、装置制御情報は、連続した複数の行、及び／又は所定の間隔をおいた複数の行に記録することができる。
【００６１】
なお、ＨＤ  ＤＶＤコンテンツとしてのマルチメディアデータの先頭に、複数の装置制御情報をいずれの領域に割り振って記録するかを示す信号を挿入することもできる。また、コンバーター２０は、複数の装置制御情報を画像６００のいずれの領域に記録するかを示す情報と、記録すべき装置制御情報の順序を予め格納した格納部を更に有していてもよい。そして、コンバーター２０は、マルチメディアデータが供給された場合に、当該格納部を参照して、装置制御情報を格納部に格納されている順序に沿って抽出することができる。
【００６２】
（線分の描画方法の記述）
図７（ａ）及び（ｂ）は、本発明の第１の実施の形態に係る線分の描画方法の記述の例である。
【００６３】
出力可否情報挿入部１５０は、図７（ａ）に示すようなマークアップファイル８１２、又は図７（ｂ）に示すようなスクリプトファイル８１４に基づいて、図７の上記説明における画像６００又は画像６０２に線分を描画する。また、出力可否情報挿入部１５０は、再生装置１０が所定のグラフィックエンジンを更に有する場合、グラフィックエンジンに線分の描画を分担させることができる。なお、装置制御情報は、ＨＤ  ＤＶＤ規格で規定されたマークアップファイル又はスクリプトファイルを用いてマルチメディアデータに含めることができるので、コンテンツ作成者が容易に装置制御情報を編集でき、マルチメディアデータと外部装置とが連携するコンテンツを短時間で作製できる。
【００６４】
また、出力可否情報挿入部１５０は、出力可否決定部１４０から受け取った出力可否情報に応じて、画像６００又は画像６０２に線分を描画するか否かを選択できる。すなわち、出力可否情報が、コンバーター２０に読み取り可能に装置制御情報を出力する旨を示す場合、出力可否情報挿入部１５０は、画像６００又は画像６０２に線分を描画することを選択する。一方、出力可否情報が、コンバーター２０に読み取り可能に装置制御情報を出力しない旨を示す場合、出力可否情報挿入部１５０は、画像６００又は画像６０２に線分を描画しないことを選択する。
【００６５】
なお、出力可否情報挿入部１５０は、マークアップファイル８１２又はスクリプトファイル８１４を用いずに、マルチメディアデータに直接、装置制御情報を出力するか否かの情報を埋め込むこともできる。
【００６６】
（装置制御情報の検出方法）
図８（ａ）及び（ｂ）は、本発明の第１の実施の形態に係る装置制御情報の検出方法の例を示す。
【００６７】
まず、図８（ａ）を参照する。コンバーター２０のデータ取得部２００は、マルチメディアデータを取得する。例えば、データ取得部２００は、マルチメディアデータとして、図６Ａ（ａ）の上記説明における画像６００を取得する。一方、コンバーター２０の同期信号検出部２１０が同期信号を検出した場合、制御情報抽出処理部２２０は、画像６００の映像信号としての画像信号のうち、輝度成分の信号８２０に関して水平同期信号９００を検出する。
【００６８】
更に、制御情報抽出処理部２２０は、図６Ａ（ａ）の上記説明における画像６００の下端６００ａに相当する部分の水平同期信号９００を同期信号検出部２１０が検出したタイミングで、輝度成分の信号８２０に含まれる輝度を示すデータを読み取る。制御情報抽出処理部２２０は、読み取ったデータを装置制御情報８５０として抽出する。また、制御情報抽出処理部２２０は、輝度成分の信号８２０の所定の場所にチェックサム用データ８３０を付加する。なお、マルチメディアデータ生成システム１は、制御情報抽出処理部２２０において輝度成分の代わり又は輝度成分と共に、他の映像信号を読み取って装置制御情報として抽出するシステムとして構築することもできる。
【００６９】
図８（ｂ）は、図８（ａ）と異なり、図６Ａ（ｂ）の上記説明における画像６０２の左端６０２ｂに装置制御情報が含まれている場合の装置制御情報の検出方法を示すので、図８（ａ）との相違点を除き詳細な説明は省略する。
【００７０】
図８（ｂ）において、制御情報抽出処理部２２０は、画像６０２の映像信号９１２のうち、輝度成分の信号８２２から水平同期信号９０２毎に、左端６０２ｂから最初の１ピクセル分の輝度データを取得する。そして、制御情報抽出処理部２２０は、取得した１ピクセル分の輝度データを、一例として、ＭＩＤＩ又はアクチュエータ制御用の制御信号としての装置制御情報８５２として抽出する。更に、制御情報抽出処理部２２０は、輝度成分の信号８２２の最後にチェックサム用データ８３２を付加する。
【００７１】
（制御情報格納部への制御情報の格納方法）
図９は、本発明の第１の実施の形態に係る制御情報格納部への制御情報の格納方法のフローの一例を示す。
【００７２】
まず、同期信号検出部２１０は、コンポーネント入力端子からの同期信号の有無をチェックする（Ｓ１００）。同期信号検出部２１０が、同期信号を検出した場合（Ｓ１１０：Ｙｅｓ）、制御情報抽出処理部２２０は、抽出した輝度成分のデータを加算する。一方、同期信号検出部２１０が同期信号を検出しない場合、同期信号検出部２１０は、制御情報抽出処理部２２０を介してデータ出力部２６０から外部にエラーを出力する（Ｓ１１０：Ｎｏ）。更に、制御情報抽出処理部２２０は、加算した輝度成分のデータと、輝度信号に付加されたチェックサム用データの値とを比較する（Ｓ１２０）。
【００７３】
制御情報抽出処理部２２０が、加算した輝度成分のデータとチェックサム用データの値とを照合して、両者が等しいと判断した場合（Ｓ１３０：Ｙｅｓ）、制御情報抽出処理部２２０は、ＭＩＤＩやアクチュエータ制御等の装置制御情報としての輝度データを制御信号用バッファとしての制御情報格納部２３０に格納する（Ｓ１４０）。一方、制御情報抽出処理部２２０が、加算した輝度成分のデータとチェックサム用データの値とが一致しないと判断した場合（Ｓ１３０：Ｎｏ）、制御情報抽出処理部２２０は、データ出力部２６０からコンバーター２０の外部にエラーを出力する（Ｓ１５０）。
【００７４】
（第１の実施の形態の効果）
第１の実施の形態に係るマルチメディア再生システム１によれば、再生装置１０においてマルチメディアデータを再生中に、外部装置に装置制御情報を供給するか否かを動的に決定することができる。これにより、マルチメディア再生システム１は、再生装置１０がマルチメディアデータを再生中であっても、マルチメディアデータに予め記録された装置制御情報の使用の有無を自由に選択できる。したがって、マルチメディア再生システム１は、マルチメディアデータの内容に応じて外部装置の動作を自動的に制御するだけでなく、ユーザの好みに応じて自由に外部装置の動作を制御できる。
【００７５】
また、第１の実施の形態に係るマルチメディア再生システム１によれば、メタデータを利用してマルチメディアデータに出力可否情報を挿入できるので、ＨＤ  ＤＶＤのＶｉｄｅｏ規格を変更しなくても、外部装置を制御できる。
【００７６】
［第２の実施の形態］
図１０は、本発明の第２の実施の形態に係るマルチメディアデータ再生システムの構成の概要を示す。
【００７７】
（マルチメディアデータ再生システム１ａの構成）
第２の実施の形態に係るマルチメディアデータ再生システム１ａは、一例として、マルチメディアデータ取得部１００又はマルチメディアデータ出力部１２０としてのＨＤＭＩインターフェース１６０及びコンポジット映像信号インターフェース１７０を有するＨＤ  ＤＶＤプレーヤー１０ａと、一例として、データ取得部２００及びデータ出力部２６０としてのコンポジット映像信号インターフェース１７０を有するコンバーター２０ａと、ＨＤＭＩインターフェース４１０を有する表示装置４０と、外部装置５０とを備える。更に、本実施の形態に係るマルチメディアデータ再生システム１ａは、第１の実施の形態に係るマルチメディアデータ再生システム１の構成及び／又は機能の一部及び／又は全部を備える（図示しない）。
【００７８】
例えば、マルチメディアデータ再生システム１ａにおいて、１０８０ｉ、７２０ｐの解像度を有するコンテンツを４８０ｉの解像度で出力する場合、ＨＤ  ＤＶＤプレーヤー１０ａと表示装置４０とを、ＨＤ  ＤＶＤプレーヤー１０ａのＨＤＭＩインターフェース１６０と表示装置４０のＨＤＭＩインターフェース４１０とを介して接続する。更に、ＨＤ  ＤＶＤプレーヤー１０ａのコンポジット映像信号インターフェース１７０とコンバーター２０ａのコンポジット映像信号インターフェース２７０とを接続する。そして、コンバーター２０ａが外部装置５０の動作を制御する。
【００７９】
（制御情報格納部への制御情報の格納方法）
図１１は、本発明の第２の実施の形態に係る制御情報格納部への制御情報の格納方法のフローの一例を示す。
【００８０】
例えば、コンバーター２０ａの同期信号検出部２１０は、コンポジット映像信号インターフェース１７０からの同期信号の有無をチェックする（Ｓ２００）。同期信号検出部２１０が、同期信号を検出した場合（Ｓ２１０：Ｙｅｓ）、コンバーター２０ａの制御情報抽出処理部２２０は、マルチメディアデータとしての映像データに含まれる輝度信号と色信号とを分離して、例えば、輝度信号が示す輝度成分のみを抽出する（Ｓ２２０）。一方、同期信号検出部２１０が同期信号を検出しない場合、同期信号検出部２１０は、コンポジット映像信号インターフェース２７０から外部にエラーを出力する（Ｓ２１０：Ｎｏ）。更に、制御情報抽出処理部２２０は、輝度成分のデータを加算した値と輝度信号の最後に付加された値（チェックサム用データ）とを比較する（Ｓ２３０）。
【００８１】
制御情報抽出処理部２２０が、加算した輝度成分のデータとチェックサム用データの値とが等しいと判断した場合（Ｓ２４０：Ｙｅｓ）、制御情報抽出処理部２２０は、輝度データを装置制御情報として制御信号用バッファとしての制御情報格納部２３０に格納する（Ｓ２５０）。一方、制御情報抽出処理部２２０が、加算した輝度成分のデータとチェックサム用データの値とが一致しないと判断した場合（Ｓ２４０：Ｎｏ）、制御情報抽出処理部２２０は、コンポジット映像信号インターフェース２７０からコンバーター２０ａの外部にエラーを出力する（Ｓ２６０）。
【００８２】
［第３の実施の形態］
第３の実施の形態に係るマルチメディア再生システムおいては、コンバーター２０ｂの構成が第１の実施の形態に係るコンバーター２０の構成の一部と異なる点を除き、第１の実施の形態に係るマルチメディアデータ再生システム１と同一の構成を備える。したがって、相違点を除き詳細な説明は省略する。
【００８３】
（コンバーター２０ｂの構成）
図１２は、本発明の第３の実施の形態に係るコンバーターの機能構成の一例を示す。
【００８４】
第３の実施の形態に係るコンバーター２０ｂは、第１の実施の形態に係るコンバーター２０とは、データ取得部２００が取得したマルチメディアデータの流れが異なる点を除き、コンバーター２０と略同一の構成及び機能を有する。したがって、相違点を除き詳細な説明は省略する。
【００８５】
コンバーター２０ｂにおいては、データ取得部２００が取得したマルチメディアデータは、制御情報抽出処理部２２０とデータ出力部２６０とに供給される。データ出力部２６０は、データ取得部２００が取得したマルチメディアデータを、そのまま表示装置４０に供給する。すなわち、第３の実施の形態においては、再生装置１０からコンバーター２０ｂを介して表示装置４０に、装置制御情報が含まれている表示用データ領域を所定の色で置き換える処理が施されていないマルチメディアデータが供給される。なお、第３の実施の形態の変形例においては、再生装置１０からコンバーター２０ｂにマルチメディアデータが供給されると共に、再生装置１０から直接に表示装置４０にマルチメディアデータが供給されてもよい。
【００８６】
［その他の実施の形態］
本発明の他の実施の形態においては、記録媒体としての蓄積メディアに格納されているマルチメディアデータに予め記録されている外部装置の動作を制御する装置制御情報を抽出して、抽出した装置制御情報に基づいて外部装置の動作を制御するマルチメディア再生システム用の再生プログラムであって、マルチメディア再生システムを、外部装置を識別する外部装置識別子に対応付けて外部装置の動作を制御する装置制御情報を表示用データ領域中に予め含むマルチメディアデータを取得するマルチメディアデータ取得部１００、装置制御情報の出力の可否を示す出力可否情報を、マルチメディアデータの表示用データ領域に動的に挿入する出力可否情報挿入部１５０、同期信号を検出する同期信号検出部２１０、同期信号検出部２１０が検出した同期信号に基づいて、マルチメディアデータから装置制御情報を抽出する制御情報抽出処理部２２０として機能させる再生プログラムを提供することができる。
【００８７】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない。
【図面の簡単な説明】
【００８８】
【図１】第１の実施の形態に係るマルチメディアデータ再生システムの概要図である。
【図２】第１の実施の形態に係る再生装置の機能構成ブロック図である。
【図３】第１の実施の形態に係るコンバーターの機能構成ブロック図である。
【図４】第１の実施の形態に係るマルチメディアデータの構成を示す図である。
【図５】（ａ）は、第１の実施の形態の変形例に係るマルチメディアデータの構成を示す図であり、（ｂ）は、第１の実施の形態の変形例に係るストリームの構成を示す図である。
【図６Ａ】（ａ）は、第１の実施の形態に係る装置制御情報のマルチメディアデータへの挿入方法の一例を示す図であり、（ｂ）は、装置制御情報のマルチメディアデータへの挿入方法の他の例を示す図である。
【図６Ｂ】第１の実施の形態に係る装置制御情報のマルチメディアデータに含まれる装置制御情報の概要図である。
【図７】（ａ）及び（ｂ）は、第１の実施の形態に係る線分の描画方法の記述の例を示す図である。
【図８】（ａ）及び（ｂ）は、第１の実施の形態に係る装置制御情報の検出方法の例を示す図である。
【図９】第１の実施の形態に係る制御情報格納部への制御情報の格納方法の流れを示す図である。
【図１０】第２の実施の形態に係るマルチメディアデータ再生システムの構成の概要図である。
【図１１】第２の実施の形態に係る制御情報格納部への制御情報の格納方法の流れを示す図である。
【図１２】第３の実施の形態に係るコンバーターの機能構成ブロック図である。
【符号の説明】
【００８９】
１、１ａ  マルチメディアデータ再生システム
１０  再生装置
２０、２０ａ、２０ｂ  コンバーター
５０  外部装置
１００  マルチメディアデータ取得部
１１０  データ処理部
１２０  マルチメディアデータ出力部
１５０  出力可否情報挿入部
２１０  同期信号検出部
２２０  制御情報抽出処理部
８５０、８５２  装置制御情報
【図１】
2009159442.tif 000003
【図２】
2009159442.tif 000004
【図３】
2009159442.tif 000005
【図４】
2009159442.tif 000006
【図５】
2009159442.tif 000007
【図６Ａ】
2009159442.tif 000008
【図６Ｂ】
2009159442.tif 000009
【図７】
2009159442.tif 000010
【図８】
2009159442.tif 000011
【図９】
2009159442.tif 000012
【図１０】
2009159442.tif 000013
【図１１】
2009159442.tif 000014
【図１２】
2009159442.tif 000015